(57)【要約】      （修正有）【課題】従来の非常誘導灯は、視覚のみに訴求するので、視覚障害者の役には立たない。その避難経路付近に煙の発生などの危険が生じた場合、視聴覚障害者を誤って危険な方向に誘導してしまうことを防ぎ得ない。 【解決手段】既設の非常誘導灯に付加し、停電時に該方向への避難誘導を行い、煙やガス、熱あるいは炎を感知した場合には、感知した方向への避難を拒絶する旨の放送をし、誘導灯の自動切り替え機能を備えた誘導装置により、視聴覚障害者は、煙や炎などが見えなくても、その方向へ誤って避難することが防げると同時に、他の避難方向で継続している誘導に従って、安全な方向に避難することが可能になる。 【選択図】図１
2009043101.tif 000002
【特許請求の範囲】
【請求項１】
消防法などの法令に基づき、建築物などに設置されている非常誘導灯に付加し、停電時には誘導灯点灯と連動し、その誘導灯の方向への避難誘導放送を行い、煙あるいはガスを感知した場合、及び、熱あるいは炎を感知した場合には、その方向への避難を拒絶する旨の放送をし、その誘導灯を消灯させる非常用音声誘導及び点灯制御装置。
【請求項２】
本機装置に組み込まれている、又は、外部に存在する煙あるいはガス感知器もしくは、熱あるいは炎感知器と連動し、感知した場合に、自動的に感知した状況を放送し、安全な避難方向を指示する放送をし、その誘導灯を消灯させる請求項１記載の非常用音声誘導及び点灯制御装置。
【請求項３】
前記誘導放送は、単一の情報を記憶しうる機能を複数、あるいは複数の情報を記憶しうる機能を複数備え、周囲の状況により自動的に放送内容を切り替える機能を持つ、請求項２記載の非常用音声誘導及び点灯制御装置。
【請求項４】
前記誘導放送は、既設の非常誘導灯や各種の感知器に設備されている蓄電池、あるいは、自身の本体内もしくは外付けで設備されている蓄電池を電源とし、停電後も作動可能な、請求項１〜請求項３記載の非常用音声誘導及び点灯制御装置。
【発明の詳細な説明】
【技術分野】
【０００１】
本発明は、複数の避難経路がある場所において、非常時に、視覚障害者に対し、安全な避難経路を音声にて誘導し、聴覚障害者に対し、状況に応じて誘導灯を点灯もしくは消灯の制御をすることにより、人命の損傷を未然に防止する避難誘導技術に関する。
【背景技術】
【０００２】
一般に、視覚のみに訴求する非常誘導灯は、消防法などの法令の定めるところに従い、広く設備されている。
【０００３】
また、予め、設置方向に誘導する目的の電子チャイム音などの誘導音発生装置を組み込んだ非常誘導灯製品の市販は為されている。
【０００４】
主装置からの有線指令を必要とした避難誘導装置はあるが、個々の誘導灯本体における自己完結機能を持たない。
【特許文献１】特開２００１−１８４５８３
【特許文献２】特開平８−２９９４７５
【０００５】
また、無線通信を利用した避難誘導装置はあるが、個々の誘導灯本体における自己完結機能を持たない。
【特許文献３】２００４−２５２５７１
【発明の開示】
【発明が解決しようとする課題】
【０００６】
従来の非常誘導灯は視覚のみに訴求するので、視覚障害者の役には立たない。
【０００７】
誘導音を発生させる非常誘導灯も存在するが、その避難経路付近に煙の発生などの危険が生じた場合、誘導音を停止させるだけなので、視覚障害者を誤って危険な方向に誘導してしまうことを防ぎ得ない。
【０００８】
非常誘導灯の灯具自体を音声誘導及び点灯制御機能付きのものに取り替えるには、多額の費用や、別途の配線工事を必要とし、普及の障害となっている。
【０００９】
さらに、既設の「煙・ガス感知器」や「熱・炎感知器」での感知情報で非常誘導灯の音声誘導や、点灯、消灯を制御するにも、多額の費用や、別途の配線工事を必要とし、普及の障害となっている。
【００１０】
本発明は、このような現状に鑑みてなされたものであり、既設の非常誘導灯に対して、特段の配線工事を必要とせずに付加取り付けすることが出来て、その誘導灯の直近に存在する本機装置の感知器が感知する危険の有無により、自動的に誘導内容を変えた音声による避難誘導と、誘導灯の点灯、消灯を行うことにより、視聴覚障害者を的確に安全な方向へ避難させることが可能になる。
【課題を解決するための手段】
【００１１】
消防法などの法令に基づき、建築物などに設置されている非常誘導灯に付加し、停電時には誘導灯点灯と連動し、その誘導灯の方向への避難誘導放送を行い、煙あるいはガスを感知した場合、及び、熱あるいは炎を感知した場合には、その方向への避難を拒絶する旨の放送をし、その誘導灯を消灯させる非常用音声誘導及び点灯制御装置。
【００１２】
本機装置に組み込まれている、又は、外部に存在する煙あるいはガス感知器もしくは、熱あるいは炎感知器と連動し、感知した場合に、自動的に感知した状況を放送し、安全な避難方向を指示する放送をし、その誘導灯を消灯させる００１１記載の非常用音声誘導及び点灯制御装置。
【００１３】
前記誘導放送は、単一の情報を記憶しうる機能を複数、あるいは複数の情報を記憶しうる機能を複数備え、周囲の状況により自動的に放送内容を切り替える機能を持つ、００１２記載の非常用音声誘導及び点灯制御装置。
【００１４】
前記誘導放送は、既設の非常誘導灯や各種の感知器に設備されている蓄電池、あるいは、自身の本体内もしくは外付けで設備されている蓄電池を電源とし、停電後も作動可能な、００１１〜００１３記載の非常用音声誘導及び点灯制御装置。
【発明の効果】
【００１５】
以上、説明したように、本発明は、既設の非常誘導灯に付加取り付けし、停電時には自動的に第１放送『非常口はこちらです。』などの避難誘導放送を開始する。
【００１６】
また、本機装置の「煙・ガス感知器」が感知を開始すると、第２放送『煙が発生しています。こちらへは避難しないでください。』などの、設置方向への避難を拒絶する旨に自動的に切り替えた放送を開始し、その誘導灯を消灯する。
【００１７】
さらに、本機装置の「熱・炎感知器」が感知を開始すると、第３放送『火災が発生しています。こちらへは避難しないでください。』などの、設置方向への避難を拒絶する旨の放送を開始し、その誘導灯を消灯する。これにより、視聴覚障害者は、煙や炎が見えなくても、発生方向へ誤って避難することが防げると同時に、他の避難方向で継続している誘導放送及び点灯している誘導灯に従って、安全な方向に避難することが可能になる。
【００１８】
また、本発明は、非常誘導灯に必ず組み込まれている蓄電池を主電源とし、かつ、常時点灯用の電灯電流を「リレー１」の制御用に使用する。これらは、その器具内の配線から追加電極用カプラーなどで給電可能なため、取り付けに電源増設等の工事を必要とせず、ほとんどの種類の既設非常誘導灯に付加取り付け可能であり、また、新規に設計開発される非常誘導灯の内部に組み込むことも容易である。これにより、音声誘導機能を付加された非常誘導灯が増加すれば、それだけ、視覚障害者の安全性が増加する。
【発明を実施するための最良の形態】
【００１９】
以下、本発明の実施の形態を図面に基づき詳細に説明する。
【００２０】
図１は、本発明の基本回路図であり、２点鎖線で囲んだ内側は、一般的な非常誘導灯の既設回路を示す。
【００２１】
本発明の第１発明は、既設の非常誘導灯に設備されている交流電源を接点AおよびBを介して「リレー１」のコイル保持制御に利用している。
【００２２】
停電時には、この「リレー１」への電力供給が遮断される。これにより「リレー１」のコイルは保持力を失い、「音声再生装置X」のスイッチ回路bを成立させる。
【００２３】
この時点では、「リレー２」の回路cは成立していないので、回路dが成立している状態である。また、回路eおよびhも成立していない。
【００２４】
ゆえに、図２の如く、「音声再生装置X」のみが、接点C、DおよびEを介して、非常誘導灯の蓄電池回路から「リレー２」の回路dを経由して電力供給を受ける。
【００２５】
停電となり、スイッチ回路bが成立すると、「音声再生装置X」は、前記の蓄電池よりの電力により、予め記憶している情報に基づき、第１放送『非常事態が発生しました。避難して下さい。非常口はこちらです。』などの、設置方向への避難誘導を開始する。この場合、すべての避難方向にある本装置が同様の放送をする。
【００２６】
この放送により、視覚障害者は、非常事態が起きたことを認識し得ると同時に、放送されている方向への避難が可能となる。
【００２７】
この時の電気の流れは、蓄電池より接点Cを経由し、「リレー１」の回路ｂ、「音声再生装置X」を通り、接点Dより蓄電池に戻るものである。
【００２８】
また本発明の第２発明は、本機装置組み込み、もしくは外付けの「煙・ガス感知器」を「リレー２」のコイル制御回路cのスイッチとして利用する。
【００２９】
「煙・ガス感知器」が感知を開始すると回路cが成立し、非常誘導灯内などの蓄電池より電力が供給されることによって「リレー２」のコイルが保持し、「音声再生装置X」への回路dを遮断すると同時に「音声再生装置Y」の回路eを成立させる。
【００３０】
この時点では、「リレー３」の回路hは成立していないので、回路gが成立している状態である。
【００３１】
この動作により、図３の如く、「音声再生装置Y」のみに、蓄電池よりの電力供給が開始される。
【００３２】
これと同時に、誘導灯非常電源ユニットへの回路が不成立になるので、消灯される。
【００３３】
この電力により、「音声再生装置Y」は、予め記憶している情報に基づき、第２放送『煙が発生しています。こちらへは避難しないでください。』などの、設置方向への避難を拒絶する旨の放送を開始する。
【００３４】
この放送と、消灯により、視聴覚障害者は、煙が見えなくても、感知方向へ誤って避難することが防げると同時に、他の避難方向で継続している誘導放送（第１放送）及び誘導点灯に従って、安全な方向に避難することが可能になる。
【００３５】
この時の電気の流れは、蓄電池より接点Cを経由し、「リレー２」の回路e、「音声再生装置Y」、「リレー３」の回路gと通り、接点Dより蓄電池に戻るものである。
【００３６】
この時点で停電していない場合も、前項の電気の流れは同じであるので、感知した装置だけは、放送を開始する。
【００３７】
また本発明の第３発明は、本機装置組み込み、もしくは外付けの「熱・炎感知器」を「リレー３」のコイル制御回路「カ」のスイッチとして利用する。
【００３８】
「熱・炎感知器」が感知を開始すると回路fが成立し、非常誘導灯内などの蓄電池より電力が供給されることによって「リレー３」のコイルが保持し、「音声再生装置Y」への回路gを遮断すると同時に「音声再生装置Z」の回路hを成立させる。
【００３９】
この動作により、図４の如く、「音声再生装置Z」のみに、蓄電池よりの電力供給が開始される。
【００４０】
これと同時に、誘導灯非常電源ユニットへの回路が不成立になるので、消灯される。
【００４１】
この電力により、「音声再生装置Z」は、予め記憶している情報に基づき、第３放送『火災が発生しています。こちらへは避難しないでください。』などの、設置方向への避難を拒絶する旨の放送を開始する。
【００４２】
この放送により、視聴覚障害者は、炎が見えなくても、感知方向へ誤って避難することが防げると同時に、他の避難方向で継続している誘導放送（第１放送）及び誘導点灯に従って、安全な方向に避難することが可能になる。
【００４３】
この時の電気の流れは、蓄電池より接点Cを経由し、「音声再生装置Z」、「リレー３」の回路hと通り、接点Dより蓄電池に戻るものである。
【００４４】
この時点で停電していない場合も、前項の電気の流れは同じであるので、感知した装置だけは、放送を開始する。
【００４５】
「煙・ガス感知器」と「熱・炎感知器」の両方が感知した場合には、「リレー３」により、回路gが遮断され、回路hが成立しているので、第３放送『火災が発生しています。こちらへは避難しないでください。』が優先して放送される。
【００４６】
また本発明の第４発明は、動作用および制御用の電源をいずれも、既設の非常誘導灯自体の内部配線に求める。
【００４７】
非常誘導灯は、消防法の求めるところに従い、通常点灯時には交流１００ボルト電流を使用し、蛍光灯ランプを点灯させると同時に、器具内部において、蓄電池に常時充電している。
【００４８】
この蓄電池充電用の電流は、非常誘導灯内部の電源ユニットによって交流１００ボルトから変圧、整流された直流電流であり、通常６ボルトから９ボルトの電圧を持つのが一般的である。
【００４９】
非常誘導灯は、停電で交流１００ボルト電流が途絶した場合、蓄電池よりの直流電流で蛍光灯ランプを一定時間点灯し続けるように作られている。
【００５０】
これらの交流電流および直流電流を本機具の制御用および動作用に利用する。
【００５１】
本発明の機具の電源は、非常誘導灯器具内部に配線されている交流１００ボルト線に接点A並びにBを設け、蓄電池に常時充電している直流電流の線に接点C、D並びにEを設ける。
【００５２】
既設の非常誘導灯が、本体露出型の場合、添付図面にある接点A〜Eを追加電極用カプラーで設け、本機装置を灯具自体の外部枠に固定する。
【００５３】
この場合は、灯具のいずれかの隙間を利用するか、外部枠に穴あけ加工をして、配線コードを通す。
【００５４】
既設の非常誘導灯が、壁面埋込型の場合は、本機装置を灯具の横または上、もしくは下に固定し、００５１と同様の配線をする。
【図面の簡単な説明】
【００５５】
【図１】一般的な非常誘導灯の回路へ、非常用音声誘導装置を付加取り付けする方法を示した図面である。
【図２】一般的な非常誘導灯の回路へ、非常用音声誘導装置を付加取り付けした非常用音声誘導装置の停電時における回路を示した図面である。
【図３】一般的な非常誘導灯の回路へ、非常用音声誘導装置を付加取り付けした非常用音声誘導装置の煙・ガス感知時における回路を示した図面である。
【図４】一般的な非常誘導灯の回路へ、非常用音声誘導装置を付加取り付けした非常用音声誘導装置の熱・炎感知における回路を示した図面である。
【符号の説明】
【００５６】
a…表示灯器具に来ている交流電源から派生する回路で「リレー１」を制御する。
b…「リレー１」によって開閉される「音声再生装置X」のスイッチ回路である。
c…「煙・ガス感知器」によって「リレー２」を制御する回路である。
d…「リレー２・３」によって開閉される「音声再生装置X」の電源・スイッチ回路である。
e…「リレー２」によって開閉される「音声再生装置Y」の電源・スイッチ回路であり、「回路d」とは、必ず逆動作になる。
f…「熱・炎感知器」によって「リレー３」を制御する回路である。
g…「リレー３」によって開閉される「音声再生装置Y」の電源・スイッチ回路である。
h…「リレー３」によって開閉される「音声再生装置Z」の電源・スイッチ回路であり、「回路ｇ」とは、必ず逆動作になる。
付加接点A〜B…既設の非常誘導灯の電源より分岐させる接点。
付加接点C、D、E…既設の非常誘導灯の蓄電池充電用回路より分岐させる接点。
【図１】
2009043101.tif 000003
【図２】
2009043101.tif 000004
【図３】
2009043101.tif 000005
【図４】
2009043101.tif 000006